(57)【要約】【課題】親局より送出されたデータ放送番組を含む放送信号を受信し、データ放送に関する情報を切り出し、所定の時刻まで遅延させて送出を行うことができるデータ放送送出装置を提供する。【解決手段】時差データ放送素材受信装置１０は、放送信号を受信し、受信した情報からデータ放送に関する情報を切り出す受信部１１と、受信した情報からデータ放送に関する情報からデータ放送番組素材を再生成する素材生成部１２と、放送信号を受信し、受信した情報からデータ放送に関する情報の切り出しの開始、終了時刻を登録する受信編成登録部１３と、切り出したデータ放送の情報を時系列に蓄積する蓄積部１４と、切り出したデータ放送を送出する編成情報を登録する編成登録部１５と、編成情報に基づき所定の時刻にデータ放送素材の登録を行うデータ放送開始登録部１６と、切り出したデータ放送の情報により時系列にデータ放送素材生成する遅延素材生成部１７と、生成されたデータ放送素材の登録を行う素材登録部１８とを備える。【選択図】  図１
2006333325.tif 000002
【特許請求の範囲】
【請求項１】
上流局によって第１の時刻より送出されるデータ放送番組を含む放送信号を受信し、時間をずらして第２の時刻より送出するデータ放送送出装置であって、
上流局から送出されたデータ放送番組を含む放送信号を受信し、該放送信号からデータ放送に関する情報を切り出す受信部と、
前記データ放送に関する情報からデータ放送素材を再生成する素材生成部と、
放送信号を受信し、受信した情報からデータ放送に関する情報の切り出しの開始及び終了時刻を登録する受信編成登録部と、
前記切り出したデータ放送の情報と受信したデータ放送の情報の相対時刻を時系列に蓄積する蓄積部と、
切り出したデータ放送を送出する編成情報を登録する編成登録部と、
前記編成情報に基づき所定の時刻に前記データ放送素材を送出するデータ放送送出部と、
切り出したデータ放送の情報と受信したデータ放送の情報の相対時刻により時系列にデータ放送素材を生成する遅延素材生成部と、
生成されたデータ放送素材の登録を行う素材登録部と、
を備えるデータ放送送出装置。
【請求項２】
上流局によって第１の時刻より送出されるデータ放送番組を含む放送信号を受信し、時間をずらして第２の時刻より送出するデータ放送送出装置であって、
上流局から送出されたデータ放送番組を含む放送信号を受信し、該放送信号からデータ放送に関する情報を切り出す受信部と、
前記データ放送に関する情報からデータ放送素材を再生成する素材生成部と、
放送信号を受信し、受信した情報からデータ放送に関する情報の切り出しの開始及び終了時刻を登録する受信編成登録部と、
前記切り出したデータ放送の情報と受信したデータ放送の情報の相対時刻を時系列に蓄積する蓄積部と、
切り出したデータ放送を送出する編成情報を登録する編成登録部と、
前記編成情報に基づき所定の時刻に前記データ放送素材を送出するデータ放送送出部と、
切り出したデータ放送の情報と受信したデータ放送の情報の相対時刻により時系列にデータ放送素材を生成する遅延素材生成部と、
生成されたデータ放送素材の登録を行う素材登録部と、
上流局から受信したデータ放送番組を送出しない時間帯は自局のデータ放送素材を送出する送出部と、
を備えるデータ放送送出装置。
【請求項３】
上流局によって第１の時刻より送出されるデータ放送番組を含む放送信号を受信し、時間をずらして第２の時刻より送出するデータ放送送出装置であって、
上流局から送出されたデータ放送番組を含む放送信号を受信し、該放送信号からデータ放送に関する情報を切り出す受信部と、
前記データ放送に関する情報からデータ放送素材を再生成する素材生成部と、
放送信号を受信し、受信した情報からデータ放送に関する情報の切り出しの開始及び終了時刻を登録する受信編成登録部と、
前記切り出したデータ放送の情報と受信したデータ放送の情報の相対時刻を時系列に蓄積する蓄積部と、
切り出したデータ放送を送出する編成情報を、局内での放送の編成を入力及び管理する編成装置から受信し、登録する受信登録部と、
前記編成情報に基づき所定の時刻に前記データ放送素材を送出するデータ放送送出部と、
切り出したデータ放送の情報と受信したデータ放送の情報の相対時刻により時系列にデータ放送素材を生成する遅延素材生成部と、
生成されたデータ放送素材の登録を行う素材登録部と、
上流局から受信したデータ放送番組を送出しない時間帯は自局のデータ放送素材を送出する送出部と、
を備えるデータ放送送出装置。
【請求項４】
請求項２に記載のデータ放送送出装置であって、
前記遅延素材生成部において、受信したデータ放送の情報の相対時刻を修正し、送出タイミングを変更できる相対時刻変更部を備えるデータ放送送出装置。
【発明の詳細な説明】
【技術分野】
【０００１】
本発明は、第１のデータ放送送出装置にて送出され、音声や映像のデータからなる本編番組と一緒に放送される放送信号を受信し、第２のデータ放送送出装置において時間をずらして放送する時差データ放送送出に関し、放送信号からのデータ放送の情報を取得、蓄積し、第２のデータ放送送出装置において適切に送出するための技術に関する。
【背景技術】
【０００２】
近年、デジタル放送の普及が進み、従来より実施されている衛星デジタル放送に加えて、地上波デジタル放送が実施されつつある。衛星デジタル放送では日本全土に一斉に同一電波で同一番組を放送することができるが、地上波デジタル放送では日本全土に一斉に放送することはできず、１つの放送局で放送できる範囲は限られており、それぞれの地域の放送局によって地域ごとに番組が放送されることになる。
【０００３】
従来より地上波アナログ放送は、１つのキー局と複数のローカル局からなる系列が存在し、キー局によって作成された番組が系列ローカル局に渡され、系列ローカル局においてキー局と同時に、あるいは時間をずらして放送されている。当然ながら地上波デジタル放送においても従来の地上波アナログ放送と同様に、複数の放送局において同一の番組が同時に、あるいは時間をずらして放送されるものと予想される。
【０００４】
ここで、ある放送局において放送された放送番組を他の放送局において時間をずらして放送する従来の時差 放送装置が、特許文献１に開示されている。一方、デジタル放送では、映像や音声のデータからなる本編番組だけでなく、文字データ等からなるデータ放送 番組を放送することができる。データ放送番組において、本編と関連のあるデータ放送を放送する場合には、映像や音声に合わせてデータの内容を変化させる必要がある。
【０００５】
データ放送の番組を構成する番組素材ファイルを事前に交換して各々が保持する番組素材ファイルに基づいて時差のデータ放送を行う方法については特許文献２に開示されている。
【特許文献１】特開平５―２８４１２６号公報
【特許文献２】特開２００４−２１５２４３号公報
【発明の開示】
【発明が解決しようとする課題】
【０００６】
しかしながら、事前に番組素材ファイルを交換する方法においては、上流局の番組制作装置からデータ放送番組素材を受け取るためのインターフェースを下流局のデータ放送送出装置にも用意しなければならないが、局毎にデータ放送送出装置の製造元、仕様が異なることは一般的であるため、実現が困難である。
【０００７】
また、アナログ放送と同様の手段で記録再生装置にデータ放送番組を記録することにより時差放送を行うことも可能であるが、自局のデータ放送とは別の送出装置でデータ放送番組を送出し、切り替え装置で信号を切り替えることになるが、データ放送のデータの途中で切り替えが発生するため、受信したデータ放送の表示が見苦しくなる事がある。
【０００８】
そこで、本発明は、上流局から放送されている放送番組の放送信号を受信し、その中からデータ放送番組の内容、送出タイミングを取得でき、所定の時差の後に適切にデータ放送を送出することができるデータ放送送出装置を提供することを目的とする。
【課題を解決するための手段】
【０００９】
本発明に係るデータ放送送出装置は、上流局から送出される放送番組の放送信号を受信し、上流局で第１時刻に放送されるデータ放送番組の時刻をずらして第２時刻から放送することのできるデータ放送送出装置であって、上流局から送出されたデータ放送番組を含む放送信号を受信し、該放送信号からデータ放送に関する情報を切り出す受信部と、前記データ放送に関する情報からデータ放送素材を再生成する素材生成部と、放送信号を受信し、受信した情報からデータ放送に関する情報の切り出しの開始及び終了時刻を登録する受信編成登録部と、前記切り出したデータ放送の情報と受信したデータ放送の情報の相対時刻を時系列に蓄積する蓄積部と、切り出したデータ放送を送出する編成情報を登録する編成登録部と、前記編成情報に基づき所定の時刻に前記データ放送素材を送出するデータ放送送出部と、切り出したデータ放送の情報と受信したデータ放送の情報の相対時刻により時系列にデータ放送素材を生成する遅延素材生成部と、生成されたデータ放送素材の登録を行う素材登録部と、を備える。
【００１０】
これにより、データ放送の番組を構成する番組素材ファイルを上流局と下流局で事前に交換することなく、実際に送出された放送番組からデータ放送素材を取り出すため、時差データ放送番組を送出するために専用の装置を用いたり、多くの構成を追加したりせずに時差データ放送番組を送出することができる。
【００１１】
また、データ放送の番組を構成する番組素材ファイルを上流局と下流局で事前に交換することなく、実際に送出された放送番組からデータ放送素材を取り出して時差データ放送番組を送出するために、誤って別のデータ放送の番組を構成する番組素材を送出することを防止できる。
【００１２】
本発明に係る他のデータ放送送出装置は、上流局から送出される放送番組の放送信号を受信し、上流局で第１時刻に放送されるデータ放送番組の時刻をずらして第２時刻から放送することのできるデータ放送送出装置であって、上流局から送出されたデータ放送番組を含む放送信号を受信し、該放送信号からデータ放送に関する情報を切り出す受信部と、前記データ放送に関する情報からデータ放送素材を再生成する素材生成部と、放送信号を受信し、受信した情報からデータ放送に関する情報の切り出しの開始及び終了時刻を登録する受信編成登録部と、前記切り出したデータ放送の情報と受信したデータ放送の情報の相対時刻を時系列に蓄積する蓄積部と、切り出したデータ放送を送出する編成情報を登録する編成登録部と、前記編成情報に基づき所定の時刻に前記データ放送素材を送出するデータ放送送出部と、切り出したデータ放送の情報と受信したデータ放送の情報の相対時刻により時系列にデータ放送素材を生成する遅延素材生成部と、生成されたデータ放送素材の登録を行う素材登録部と、上流局から受信したデータ放送番組を送出しない時間帯は自局のデータ放送素材を送出する送出部と、を備える。
【００１３】
これにより、データ放送の番組を構成する番組素材ファイルを上流局と下流局で事前に交換することなく、実際に送出された放送番組からデータ放送素材を取り出すため、時差データ放送番組を送出するために専用の装置を用いたり、多くの構成を追加したりせずに時差データ放送番組を送出することができる。
【００１４】
また、データ放送の番組を構成する番組素材ファイルを上流局と下流局で事前に交換することなく、実際に送出された放送番組からデータ放送素材を取り出して時差データ放送番組を送出するために、誤って別のデータ放送の番組を構成する番組素材を送出することを防止できる。
【００１５】
さらに、あらかじめ作成した自局のデータ放送素材を登録し、編成に組み込むことにより、上流局から受信したデータ放送番組ではなく、独自のデータ放送番組を送出することができる。
【００１６】
本発明に係る他のデータ放送送出装置は、上流局から送出される放送番組の放送信号を受信し、上流局で第１時刻に放送されるデータ放送番組の時刻をずらして第２時刻から放送することのできるデータ放送送出装置であって、上流局から送出されたデータ放送番組を含む放送信号を受信し、該放送信号からデータ放送に関する情報を切り出す受信部と、前記データ放送に関する情報からデータ放送素材を再生成する素材生成部と、放送信号を受信し、受信した情報からデータ放送に関する情報の切り出しの開始及び終了時刻を登録する受信編成登録部と、前記切り出したデータ放送の情報と受信したデータ放送の情報の相対時刻を時系列に蓄積する蓄積部と、切り出したデータ放送を送出する編成情報を、局内での放送の編成を入力及び管理する編成装置から受信し、登録する受信登録部と、前記編成情報に基づき所定の時刻に前記データ放送素材を送出するデータ放送送出部と、切り出したデータ放送の情報と受信したデータ放送の情報の相対時刻により時系列にデータ放送素材を生成する遅延素材生成部と、生成されたデータ放送素材の登録を行う素材登録部と、上流局から受信したデータ放送番組を送出しない時間帯は自局のデータ放送素材を送出する送出部と、を備える。
【００１７】
これにより、データ放送の番組を構成する番組素材ファイルを上流局と下流局で事前に交換することなく、実際に送出された放送番組からデータ放送素材を取り出すため、時差データ放送番組を送出するために専用の装置を用いたり、多くの構成を追加したりせずに時差データ放送番組を送出することができる。
【００１８】
また、データ放送の番組を構成する番組素材ファイルを上流局と下流局で事前に交換することなく、実際に送出された放送番組からデータ放送素材を取り出して時差データ放送番組を送出するために、誤って別のデータ放送の番組を構成する番組素材を送出することを防止できる。
【００１９】
さらに、あらかじめ作成した自局のデータ放送素材を登録し、編成に組み込むことにより、上流局から受信したデータ放送番組ではなく、独自のデータ放送番組を送出することができる。
【００２０】
その上、自局での編成が変更になった場合、局内での放送の編成を入力、管理する編成装置で編成内容を変更することにより、データ放送送出装置にも編成の変更が伝えられ、時差データ放送の開始、終了時刻も自動的に同期して変更されるため、運用者が特に意識することなく遅延時間の変更をすることができる。
【発明の効果】
【００２１】
本発明に係るデータ放送送出装置は、課題を解決するための手段に記載した構成により、上流局から送出された放送番組から所定の時間に放送されるデータ放送番組を所定の時差を持って自局から放送することができる。上流局からのデータ放送番組を放送しない場合は、同じデータ放送送出装置から時局独自のデータ放送番組を送出することができる。
【発明を実施するための最良の形態】
【００２２】
（実施の形態１）
＜構成＞
図１は、本発明の実施の形態１における時差データ放送送出装置１を示す図である。図１に示すように、実施の形態１における時差データ放送送出装置１は、時差データ放送素材受信部１０、データ放送編成管理部２０、データ放送素材管理部３０、データ放送信号送出部４０を備え、局内番組制作装置５０と接続され、上流局送出装置９０から放送信号を受信する。
【００２３】
図３は、時差データ放送素材受信部１０の構成を示す図である。図３に示すように、実施の形態１における時差データ放送送出装置の時差データ放送素材受信部１０は、受信部１１と、素材生成部１２と、受信編成登録部１３と、蓄積部１４と、編成登録部１５と、データ放送開始登録部１６と、遅延素材生成部１７と素材登録部１８とを備える。
【００２４】
受信部１１は、上流局から送出された放送番組の放送信号を受信する。受信した放送信号から取り出した情報には規約で取り決められたデータ放送か他の放送信号かを区分する情報が組み込まれているので、その情報をキーにしてデータ放送の情報のみを取り出し、その時刻を記録し、素材生成部１２に引き渡す。
【００２５】
素材生成部１２は、データ放送の情報と時刻情報を受信部１１から受け取り、データ放送の情報の中から放送系統を示す情報とデータ放送の情報の種別を取り出す。
データ放送の場合、番組素材の本体は同じ情報が繰り返し放送されているため、受信した全ての情報を保存しておく必要は無く、更新された時点の情報のみを保存すれば良い。前回受信した同じ放送系統で同じデータ放送の情報の種別のデータ放送の情報から変化があったかどうかを調べるため、前回と今回受信したデータ放送の情報を比較する。前回と今回で受信したデータ放送の情報が異なっていた場合、前回から今回のデータ放送の情報の受信時刻の差を求め、相対時刻とする。データ放送番組の画面を切り替えるトリガ等に使用されるイベントメッセージは繰り返し放送されるとは限らないが、イベントメッセージ発行の度にその中に含まれるIDが変わるため、更新を確認せずに全ての情報と前回と今回の受信時刻の差を求め、相対時刻とする。
【００２６】
受信編成登録部１３は、上流局から放送されるデータ放送番組の編成を登録する。上流局から放送されるデータ放送番組の開始時刻、終了時刻、そのデータ放送番組の素材を自局内で使用するか否か、そのデータ放送番組の素材を自局で使用する場合の素材コード等を登録する。
【００２７】
蓄積部１４は、素材生成部１２からデータ放送の情報と相対時刻と受信時刻を取得し、受信編成登録部１３で登録された上流局の編成情報を取得する。データ放送の情報の中にはいくつか管理できるＩＤが存在し、その中のＩＤ１を１つのデータ放送番組に付き１つの値を付与する運用にすることによって、受信したデータ放送の情報とデータ放送番組の結び付けを行う。そのために、受信編成登録部１３はＩＤ１の登録機能を有する。データ放送の情報と相対時刻と受信時刻を編成毎に時系列順にまとめ、所定の領域に蓄積する。
【００２８】
編成登録部１５は、自局から放送されるデータ放送番組の編成を登録する。自局から放送されるデータ放送番組の開始時刻、終了時刻、そのデータ放送番組の素材は上流局から受信したものを使用するか否か、上流局から受信した素材の素材コード等を登録する。
【００２９】
データ放送開始登録部１６は、蓄積部１４により蓄積されたデータ放送素材で、編成登録部１５により登録された編成にて所定時間以内に使用される場合、最初に送出するデータ放送素材を抽出し、素材登録部１８にデータ放送素材管理部３０へのデータ放送素材の登録を指示する。
【００３０】
遅延素材生成部１７は、蓄積部１４により蓄積されたデータ放送素材で、データ放送開始登録部１６により素材登録部１８に登録指示した素材について、編成登録部１５により登録された編成の開始時刻から、蓄積部１４により蓄積されたデータ放送素材の相対時刻に達した、もしくは遅延を考慮し、相対時刻の所定時間前になった素材を抽出し、素材登録部１８にデータ放送素材管理部３０へのデータ放送素材の登録を指示する。
【００３１】
素材登録部１８は、データ放送開始登録部１６および遅延素材生成部１７で抽出された素材をデータ放送素材管理部３０へ登録する。
【００３２】
データ放送編成管理部２０は、データ放送編成を入力し、そのデータ放送編成に基づき、データ放送素材管理部３０へ送出すべき素材をデータ放送信号送出部４０に転送指示する転送要件を設定し、データ放送信号送出部４０へ自局から送出するスケジュールを送信し、時差データ放送素材受信部１０の編成登録部１５へ上流局と自局のデータ放送の送出スケジュールを伝える。
【００３３】
データ放送素材管理部３０は、時差データ放送素材受信部１０の素材登録部１８および局内制作装置５０から送られてきた素材の情報を蓄積し、転送要件に基づいてデータ放送信号送出部４０へ転送する。
【００３４】
データ放送信号送出部４０は、データ放送編成管理部２０より受信したデータ放送編成に基づき、データ放送素材管理部３０から受信した素材をデータ放送の放送信号に変換して出力する。
【００３５】
＜動作＞
図４は、本実施形態において、時差送出を行う場合の時差データ放送送出装置１の動作を示す図である。
【００３６】
（１）時差データ放送素材受信部１０は、データ放送編成管理部２０から、上流局から放送されるデータ放送編成および自局のデータ放送編成を受信する（ステップＳ１０１）。上流局のデータ放送編成は受信編成登録部１３へ、自局のデータ放送編成は編成登録部１５へ伝えられる。上流局から放送されるデータ放送編成には番組の開始時刻、終了時刻、そのデータ放送番組の素材を自局内で使用するか否か、そのデータ放送番組の素材を自局で使用する場合の素材コード等が登録される。
【００３７】
（２）受信部１１は、上流局から送出された放送番組の放送信号を受信する。受信した放送信号から取り出した情報には規約で取り決められたデータ放送か他の放送信号かを区分する情報が組み込まれているので、その情報をキーにしてデータ放送の情報のみを取り出し、その時刻を記録し、素材生成部１２に引き渡す（ステップＳ１０２）。
【００３８】
（３）素材生成部１２は、データ放送の情報と時刻情報を受信部１１から受け取り、データ放送の情報の中から放送系統を示す情報とデータ放送の情報の種別を取り出す。そして、素材生成部１２は、放送系統とデータ放送の情報の種別が同じである前回受信したデータ放送の情報と今回受信したデータ放送の情報を比較する。比較の結果、前回と今回で受信したデータ放送の情報が異なっていた場合、前に更新された時刻と今回の受信時刻の差を求め、相対時刻とし、異なったデータ放送の情報を、更新されたデータ放送の情報として取り出す（ステップＳ１０３）。
【００３９】
（４）蓄積部１４は、素材生成部１２から更新されたデータ放送の情報と相対時刻と受信時刻を取得し、受信編成登録部１３で登録された上流局の編成情報を取得する。データ放送の情報の中にはいくつか管理できるＩＤが存在し、その中のＩＤ１を１つのデータ放送番組に付き１つの値を付与する運用にすることによって、受信したデータ放送の情報とデータ放送番組の結び付けを行う（ステップＳ１０４）。最初に受信したＩＤ１のデータ放送の情報は、データ放送番組の最初の情報として認識し、相対時刻０秒とし、その受信時刻を編成の起点の時刻とし、所定の領域に蓄積する。その後に受信したＩＤ１が同じで内容の異なるデータ放送の情報と相対時刻と受信時刻を編成毎に時系列順にまとめ、所定の領域に蓄積する。
【００４０】
（５）データ放送開始登録部１６は、編成登録部１５により登録された編成から所定時間以内に使用されるデータ放送素材を検出し、上流局からのデータ放送素材を送出する場合、蓄積部１４により蓄積されたデータ放送素材の中から、最初に送出するデータ放送素材を抽出し（ステップＳ１０５）、素材登録部１８にデータ放送素材管理部３０へのデータ放送素材の登録を指示する（ステップＳ１０６）。同時に、遅延素材生成部１７に登録を指示した編成の開始時刻、素材コードを伝える。データ放送素材管理部３０へ登録されたデータ放送素材は、データ放送信号送出部４０に送られ、信号送出の準備が完了する。
【００４１】
（６）遅延素材生成部１７はデータ放送開始登録部１６より伝えられた編成の開始時刻、素材コードから、データ放送の情報がある限り以下を繰り返す（ステップＳ１０７）。遅延素材生成部１７はデータ放送開始登録部１６より伝えられた編成の開始時刻、素材コードから、蓄積部１４により蓄積されたデータ放送素材を取り出す（ステップＳ１０８）。編成の開始時刻から、蓄積部１４により蓄積されたデータ放送素材の相対時刻、もしくは処理の遅延を考慮し、相対時刻の所定時間前になるまで待機し（ステップＳ１０９）、素材登録部１８にデータ放送素材管理部３０へのデータ放送素材の登録を指示する（ステップＳ１１０）。当該素材の送出時間中であるため、データ放送素材管理部３０へ登録され、データ放送信号送出部４０に送られたデータ放送素材は直ちに置き換えられて放送される。
【００４２】
（実施の形態２）
実施の形態２における時差データ放送送出装置１及び時差データ放送素材受信部１０の構成は、図１及び図３に示した実施の形態１のものとほぼ同等である。しかしながら本実施形態においては、蓄積部１４の機能が、実施の形態１のものとは異なる。
【００４３】
本実施形態の蓄積部１４も、素材生成部１２からデータ放送の情報と相対時刻と受信時刻を取得し、受信編成登録部１３で登録された上流局の編成情報を取得する。実施の形態１で述べたように、データ放送の情報の中にはいくつか管理できるＩＤが存在し、その中のＩＤ１を１つのデータ放送番組に付き１つの値を付与する運用が行われていることが多い。しかし、各編成で放送されるデータ放送番組のＩＤ１をあらかじめ入手することは運用上困難である。そこで本実施形態においては、蓄積部１４にてＩＤ１が変わったことでデータ放送番組の切替わりを判断する。データ放送の情報と相対時刻と受信時刻を編成毎に時系列順にまとめ、所定の領域に蓄積する。
【００４４】
時差データ放送送出装置１の動作も、実施の形態１について図４に示したものとほぼ同等である。しかしながら、本実施の形態においては、ステップＳ１０４に示したデータ放送の情報とデータ放送番組の結び付けの方法が、第１の実施形態のものと異なる。
【００４５】
上述したように、本実施形態においては、蓄積部１４は、ＩＤ１が変わったことで編成の切替わりと判断し、受信したデータ放送の情報とデータ放送番組の結び付けを行う。当該データ放送番組の前にデータ放送の放送が無い場合は、データ放送番組開始の所定時間前以降にデータ放送の情報を取得できた時点でそれを当該データ放送番組の情報と判断する。前のデータ放送番組中で当該データ放送番組開始の所定時間前以降にＩＤ１が変化した場合は、その時点で当該データ放送番組に切替わったと判断する。前のデータ放送番組終了、当該データ放送番組開始以降にＩＤ１が切替わった場合は、それ迄は前の番組で、ＩＤ１の切替わり時点で当該データ放送番組に切替わったと判断する。最初に受信したＩＤ１のデータ放送の情報は、編成の最初の情報として認識し、相対時刻０秒とし、その受信時刻を編成の起点の時刻とし、所定の領域に蓄積する。その後に受信したＩＤ１が同じで内容の異なるデータ放送の情報と相対時刻と受信時刻を編成毎に時系列順にまとめ、所定の領域に蓄積する。他のステップは実施の形態１で説明したものと同じである。
【００４６】
（実施の形態３）
図２は、本発明の実施の形態３における時差データ放送送出装置１を示す図である。図２に示すように、実施の形態２における時差データ放送送出装置１は、時差データ放送素材受信部１０、データ放送編成管理部２０、データ放送素材管理部３０、データ放送信号送出部４０を備え、局内番組制作装置５０および局内編成装置６０と接続され、上流局送出装置９０から放送信号を受信する。ここで、実施の形態１及び２の構成に加え、局内編成装置６０が追加となっている。時差データ放送素材受信部１０の構成を、実施の形態１及び２と同じく図３に示す。また、蓄積部１４の機能は上述した実施の形態２のものと同じである。
【００４７】
本実施形態においては、データ放送編成管理部２０は、局内編成装置６０もしくは自端末からデータ放送編成を入力し、そのデータ放送編成に基づき、データ放送素材管理部３０へ送出すべき素材をデータ放送信号送出部４０に転送指示する転送要件を設定し、データ放送信号送出部４０へ自局から送出するスケジュールを送信し、時差データ放送素材受信部１０の編成登録部１５へ上流局と自局のデータ放送の送出スケジュールを伝える。以降の動作は、図４を用いて説明した実施の形態２と同様である。
【００４８】
（実施の形態４）
実施の形態４における時差データ放送送出装置１及び時差データ放送素材受信部１０の構成は、図２及び図３に示した実施の形態３のものとほぼ同等である。しかしながら本実施形態においては、素材生成部１２の機能が、実施の形態３のものとは異なる。
【００４９】
上述したように、素材生成部１２は、データ放送の情報と時刻情報を受信部１１から受け取り、データ放送の情報の中から放送系統を示す情報とデータ放送の情報の種別を取り出す。データ放送の場合、番組素材の本体は同じ情報が繰り返し放送されているため、受信した全ての情報を保存しておく必要は無く、更新された時点の情報のみを保存すれば良い。前回受信した同じ放送系統で同じデータ放送の情報の種別のデータ放送の情報から変化があったかどうかを調べるため、前回と今回受信したデータ放送の情報を比較する。データ放送の情報の中にはいくつか管理できるＩＤが存在し、その中のＩＤ２をデータ放送番組の内容変更の度に値を更新する運用を行うことが通常である。そこで、本実施形態においては、比較にあたっては、情報全体を比較するのではなく、ＩＤ２のみを比較することで処理負荷を軽減する。前回と今回で受信したデータ放送の情報が異なっていた場合、前回から今回のデータ放送の情報の受信時刻の差を求め、相対時刻とする。データ放送番組の画面を切り替えるトリガ等に使用されるイベントメッセージは繰り返し放送されるとは限らないが、イベントメッセージ発行の度にその中に含まれるＩＤが変わるため、更新を確認せずに全ての情報と前回と今回の受信時刻の差を求め、相対時刻とする。
【００５０】
本実施形態においても、装置の動作は図４を用いて説明した上述の実施形態とほぼ同等である。ただし本実施形態においては、ステップＳ１０３において、素材生成部１２は、情報全体を比較するのではなく、ＩＤ２のみを比較することで処理負荷を軽減する。前回と今回で受信したデータ放送の情報が異なっていた場合、前に更新された時刻と今回の受信時刻の差を求め、相対時刻とする。他のステップは前述の実施形態のものと同様である。
【００５１】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００５２】
本発明は、地上デジタル放送の系列におけるネット放送に適用することができる。本発明によって、専用の装置を用いたり、多くの構成を追加したりすることなく、時差データ放送を実現することができ、上流局と下流局でデータ放送番組素材のファイルを事前に交換することなく放送を行うことができるので、その産業的利用価値はきわめて高い。また、本発明は、地上デジタル放送だけではなく、あらゆる時差データ放送に適用することができる。
【図面の簡単な説明】
【００５３】
【図１】本発明の実施の形態１及び実施の形態２における時差データ放送送出装置を示す図である。
【図２】本発明の実施の形態３及び実施の形態４における時差データ放送送出装置を示す図である。
【図３】本発明の実施の形態における時差データ放送素材受信部１０の構成を示す図である。
【図４】本発明の実施の形態における時差データ放送装置の動作を示す図である。
【符号の説明】
【００５４】
１    時差データ放送送出装置
１０  時差データ放送素材受信部
１１  受信部
１２  素材生成部
１３  受信編成登録部
１４  蓄積部
１５  編成登録部
１６  データ放送開始登録部
１７  遅延素材生成部
１８  素材登録部
２０  データ放送編成管理部
３０  データ放送素材管理部
４０  データ放送信号送出部
５０  局内制作装置
６０  局内編成装置
９０  上流局送出装置
【図１】
2006333325.tif 000003
【図２】
2006333325.tif 000004
【図３】
2006333325.tif 000005
【図４】
2006333325.tif 000006